(57)【要約】【課題】レベルワインド機構の蓋部材への糸絡みを簡単な構成で抑制することができる両軸受リールを提供することにある。【解決手段】両軸受リール１００は、リール本体２と、スプール３と、レベルワインド機構５と、を備える。リール本体２は、第１側板６ａと、第１側板６ａと左右方向に間隔を隔てて配置された第２側板６ｂと、前後方向に延びた竿装着部６ｄと、を有する。レベルワインド機構５は、螺旋状溝１１ａを有するウォーム軸１１と、螺旋状溝１１ａに竿装着部６ｄ側から係合する係合部材１５と、係合部材１５を収容する収容部１４ｂを有する移動部材１４と、収容部１４ｂを覆う蓋部材１６と、を有する。蓋部材１６は、蓋部材１６の竿装着部６ｄ側にある底面１６ａと、底面１６ａからウォーム軸１１に向かって外径が大きくなるようにテーパ状に傾斜した外側面１６ｂと、を有する。【選択図】図３
2020184934.tif 000002
【特許請求の範囲】
【請求項１】
第１側板と、前記第１側板と左右方向に間隔を隔てて配置された第２側板と、前後方向に延びた竿装着部と、を有するリール本体と、
前記第１側板と前記第２側板との間に配置され、前記リール本体に回転可能に支持されたスプールと、
螺旋状溝を有するウォーム軸と、前記螺旋状溝に前記竿装着部側から係合する係合部材と、前記係合部材を収容する収容部を有する移動部材と、前記収容部を覆う蓋部材と、を有し、前記スプールの前方に配置されたレベルワインド機構と、
を備え、
前記蓋部材は、前記蓋部材の前記竿装着部側にある底面と、前記底面から前記ウォーム軸に向かって外径が大きくなるようにテーパ状に傾斜した外側面と、を有する、
両軸受リール。
【請求項２】
前記蓋部材と前記スプールとの間に配置され、前記左右方向に延び、釣り糸が前記蓋部材の前記外側面に絡まることを防止する糸絡み防止部材をさらに備え、
前記竿装着部の竿装着面から前記糸絡み防止部材の前記竿装着部側の表面までの距離は、前記竿装着部の前記竿装着面から前記蓋部材の前記底面までの距離と同程度である、
請求項１に記載の両軸受リール。
【請求項３】
前記蓋部材と前記スプールとの間に配置され、前記左右方向に延び、釣り糸が前記蓋部材の前記外側面に絡まることを防止する糸絡み防止部材をさらに備え、
前記竿装着部の竿装着面から前記糸絡み防止部材の前記竿装着部側の表面までの距離は、前記竿装着部の前記竿装着面から前記蓋部材の前記底面までの距離よりも長い、
請求項１に記載の両軸受リール。
【請求項４】
前記竿装着部が延びる方向に平行な直線と、前記蓋部材の前記外側面に平行な直線とのなす角度は１００°以上である、
請求項１から３のいずれか１項に記載の両軸受リール。
【発明の詳細な説明】
【技術分野】
【０００１】
本発明は、釣り用リール、特に両軸受リールに関する。
【背景技術】
【０００２】
両軸受リールのレベルワインド機構は、螺旋状溝を有するウォーム軸と、螺旋状溝に係合する係合部材と、係合部材を収容する収容部を有する移動部材と、収容部を覆う蓋部材と、を有している（特許文献１参照）。
【０００３】
レベルワインド機構を有する両軸受リールでは、バックラッシュが発生したときに、釣り糸が蓋部材に絡まるおそれがある。この防止策として、例えば特許文献１には、蓋部材の底面と竿装着部との間に保護部材を配置した構成が開示されている。
【先行技術文献】
【特許文献】
【０００４】
【特許文献１】実開平２−１１６９６３号公報
【発明の概要】
【発明が解決しようとする課題】
【０００５】
特許文献１のレベルワインド機構では、板状の保護部材を設けて蓋部材への糸絡みを防止しているため、組立性が低下する。また、蓋部材の底面と竿装着部との間に部材が配置されているため、蓋部材から竿装着部までの距離が離れてしまい、パーミングしたときの把持性が低下するおそれがある。
【０００６】
本発明の課題は、レベルワインド機構の蓋部材への糸絡みを簡単な構成で抑制することができる両軸受リールを提供することにある。
【課題を解決するための手段】
【０００７】
本発明の一側面に係る両軸受リールは、リール本体と、スプールと、レベルワインド機構と、を備える。リール本体は、第１側板と、第１側板と左右方向に間隔を隔てて配置された第２側板と、前後方向に延びた竿装着部と、を有する。スプールは、第１側板と第２側板との間に配置され、リール本体に回転可能に支持される。レベルワインド機構は、スプールの前方に配置される。レベルワインド機構は、螺旋状溝を有するウォーム軸と、螺旋状溝に竿装着部側から係合する係合部材と、係合部材を収容する収容部を有する移動部材と、収容部を覆う蓋部材と、を有する。蓋部材は、蓋部材の竿装着部側にある底面と、底面からウォーム軸に向かって外径が大きくなるようにテーパ状に傾斜した外側面と、を有する。
【０００８】
この両軸受リールでは、蓋部材の外側面が蓋部材の竿装着部側にある底面からウォーム軸に向かってテーパ状に傾斜しているので、蓋部材に釣り糸が絡みにくくなる。すなわち、糸絡みを防止するための板状の保護部材等を設けることなく、蓋部材への糸絡みを簡単な構成で抑制することができる。また、釣り糸が蓋部材に絡まりかけた場合は、釣り糸を引っ張ることで、蓋部材に絡まりかけた釣り糸を蓋部材から容易に解くことができる。さらに、糸絡みを防止するための部材等を蓋部材の底面と竿装着部との間に設ける必要がないため、リール本体のコンパクト化を図ることが可能になり、パーミングしたときの把持性を向上させることができる。
【０００９】
好ましくは、両軸受リールは、糸絡み防止部材をさらに備える。糸絡み防止部材は、蓋部材とスプールとの間に配置され、左右方向に延び、釣り糸が蓋部材の外側面に絡まることを防止する。竿装着部の竿装着面から糸絡み防止部材の竿装着部側の表面までの距離は、竿装着部の竿装着面から蓋部材の底面までの距離と同程度である。この場合は、糸絡み防止部材を備える両軸受リールにおいて、蓋部材への糸絡みをさらに抑制しつつ、リール本体のコンパクト化を図ることができる。
【００１０】
好ましくは、両軸受リールは、糸絡み防止部材をさらに備える。糸絡み防止部材は、蓋部材とスプールとの間に配置され、左右方向に延び、釣り糸が蓋部材の外側面に絡まることを防止する。竿装着部の竿装着面から糸絡み防止部材の竿装着部側の表面までの距離は、竿装着部の竿装着面から蓋部材の底面までの距離よりも長い。この場合は、糸絡み防止部材を備える両軸受リールにおいて、蓋部材への糸絡みをさらに抑制しつつ、リール本体のコンパクト化をさらに図ることができる。
【００１１】
好ましくは、竿装着部が延びる方向に平行な直線と、蓋部材の外側面に平行な直線とのなす角度は１００°以上である。この場合は、蓋部材への糸絡みを効果的に抑制することができる。
【発明の効果】
【００１２】
本発明によれば、レベルワインド機構の蓋部材への糸絡みを簡単な構成で抑制することができる両軸受リールを提供することができる。
【図面の簡単な説明】
【００１３】
【図１】本発明の一実施形態が採用された両軸受リールの正面図。
【図２】図１のＩＩ−ＩＩ線断面図。
【図３】図２の一部を拡大した図。
【図４】図２の一部を拡大した図。
【発明を実施するための形態】
【００１４】
以下の説明において、釣りを行うときに、釣り糸が繰り出される方向を前、その反対方向を後という。また、左右とは、両軸受リール１００（図１参照）を後方から見たときの左右をいう。また、上下とは、両軸受リール１００を釣竿に装着したときの、釣竿が装着される側を上、その反対側を下という。具体的には、図１における上側を上、下側を下として説明する。
【００１５】
図１は、本発明の一実施形態が採用された両軸受リール１００の正面図である。図２は、図１のＩＩ線断面図である。図３は、図２の一部を拡大した図である。両軸受リール１００は、釣り糸を前方に繰り出し可能である。両軸受リール１００は、図１及び図２に示すように、リール本体２と、スプール３と、ハンドル４と、レベルワインド機構５と、を備えている。
【００１６】
また、両軸受リール１００は、ハンドル４の回転をスプール３に伝達する回転伝達機構、スプール３の糸繰り出し方向の回転を制動するドラグ機構、スプール３に作用する制動力を調節するキャスティングコントロール機構、スプール３の回転に応じて数値が変化する機械式のカウンタ、クラッチ機構等を備えている。
【００１７】
リール本体２は、第１側板６ａと、第２側板６ｂと、複数の連結部６ｃと、竿装着部６ｄと、第１側カバー７と、第２側カバー８と、を有している。第１側板６ａ、第２側板６ｂ、複数の連結部６ｃ、及び竿装着部６ｄは、本実施形態では一体に形成されている。
【００１８】
第１側板６ａは、リール本体２の右側に配置されている。第２側板６ｂは、第１側板６ａと左右方向に間隔を隔ててリール本体２の左側に配置されている。複数の連結部６ｃは、左右方向に延び、第１側板６ａと第２側板６ｂとを連結している。
【００１９】
竿装着部６ｄは、図２に示すように、前後方向に延びている。竿装着部６ｄは、釣竿が装着される竿装着面６ｅを有している。竿装着面６ｅは、竿装着部６ｄの下面に形成されている。竿装着面６ｅは、スプール３よりも下方に配置されている。
【００２０】
第１側カバー７は、第１側板６ａの右側方を覆う。第２側カバー８は、第２側板６ｂの左側方を覆う。
【００２１】
スプール３は、第１側板６ａと第２側板６ｂとの間に配置され、リール本体２に回転可能に支持されている。スプール３は、図２に示すように、スプール３の中央を左右方向に貫通するスプール軸１０に固定されており、スプール軸１０と一体的に回転する。
【００２２】
ハンドル４は、図１に示すように、リール本体２の第１側板６ａ側に回転可能に設けられている。ハンドル４の回転は、回転伝達機構を介して、スプール３に伝達される。
【００２３】
レベルワインド機構５は、図１及び図２に示すように、スプール３の前方に配置されている。レベルワインド機構５は、ハンドル４の糸巻き取り方向の回転に応じて、第１側板６ａと第２側板６ｂとの間を左右方向に往復移動する。これにより、釣り糸がスプール３に均一に巻き付けられる。
【００２４】
レベルワインド機構５は、図１から図３に示すように、ウォーム軸１１と、案内部材１２と、ガイド軸１３と、移動部材１４と、係合部材１５と、蓋部材１６と、を有している。
【００２５】
ウォーム軸１１は、左右方向に延び、第１側板６ａと第２側板６ｂとの間でリール本体２に回転可能に支持されている。ウォーム軸１１は、移動部材１４を左右方向に貫通している。ウォーム軸１１は、図１に示すように、係合部材１５が係合する螺旋状溝１１ａを有している。螺旋状溝１１ａは、ウォーム軸１１の外周面に形成されている。
【００２６】
案内部材１２及びガイド軸１３は、ウォーム軸１１に沿う方向に移動部材１４を案内するために設けられる。案内部材１２及びガイド軸１３は、図１に示すように、第１側板６ａと第２側板６ｂとの間で左右方向に延び、リール本体２に固定されている。案内部材１２及びガイド軸１３は、移動部材１４を左右方向に貫通している。
【００２７】
案内部材１２は、ウォーム軸１１の外周側に配置されている。本実施形態では、案内部材１２は、半円筒形状であり、ウォーム軸１１の上方に配置されている。なお、案内部材１２は、螺旋状溝１１ａを露出させるための開口を設けた円筒形状の部材であってもよい。
【００２８】
移動部材１４は、係合部材１５を介して、第１側板６ａと第２側板６ｂとの間を案内部材１２及びガイド軸１３に沿って左右方向に往復移動する。移動部材１４は、糸案内部１４ａと、収容部１４ｂ（図３参照）と、を有している。
【００２９】
糸案内部１４ａは、釣り糸を通すための孔であり、糸案内部１４ａを通る釣り糸が移動部材１４とともに左右方向に移動することで、釣り糸がスプール３に均一に巻き付けられる。
【００３０】
収容部１４ｂは、係合部材１５を回転可能に収容するための貫通孔であり、移動部材１４の竿装着部６ｄ側からウォーム軸１１に向かって延びている。収容部１４ｂは、断面が円形状に形成され、両端が開口している。本実施形態では、収容部１４ｂは、収容部１４ｂの上方に螺旋状溝１１ａが位置するように、移動部材１４の下部において上下方向に延びて形成されている。
【００３１】
係合部材１５は、螺旋状溝１１ａに竿装着部６ｄ側から係合する。係合部材１５は、移動部材１４の収容部１４ｂに回転可能に収容される。係合部材１５は、図３に示すように、軸部１５ａと、係合部１５ｂと、を有している。軸部１５ａは、略円柱状に形成され、収容部１４ｂに回転可能に収容される。係合部１５ｂは、軸部１５ａの一端に形成され、先端が螺旋状溝１１ａに係合する。
【００３２】
蓋部材１６は、有底筒状の部材であり、収容部１４ｂの竿装着部６ｄ側を覆う。蓋部材１６は、係合部材１５の軸部１５ａの竿装着部６ｄ側を覆う。蓋部材１６は、蓋部材１６の内周部が収容部１４ｂの外周部にねじ結合して、移動部材１４に固定される。蓋部材１６の内周部と収容部１４ｂの外周部の間には、シール部材１８が配置されている。シール部材１８は、例えばＯリングである。
【００３３】
蓋部材１６は、図３に示すように、底面１６ａと、外側面１６ｂと、を有している。底面１６ａは、蓋部材１６の竿装着部６ｄ側に位置する面であり、底面１６ａの上方に係合部材１５が配置されている。底面１６ａは、収容部１４ｂ及び係合部材１５の下方に配置されている。本実施形態では、底面１６ａは、円形面であり、前後方向および左右方向に沿う方向に延びている。
【００３４】
外側面１６ｂは、底面１６ａからウォーム軸１１に向かって外径が大きくなるようにテーパ状に傾斜して形成されている。言い換えると、外側面１６ｂは、竿装着部６ｄに近づくにつれて外径が小さくなるようにテーパ状に傾斜して形成されている。本実施形態では、外側面１６ｂは、円錐面状に形成され、底面１６ａから上方に向かって外径が大きくなるようにテーパ状に傾斜して形成されている。
【００３５】
両軸受リール１００は、好ましくは、糸絡み防止部材２０をさらに備えている。糸絡み防止部材２０は、図１及び図２示すように、例えば棒状の部材であり、第１側板６ａと第２側板６ｂとの間で左右方向に延び、リール本体２に固定されている。糸絡み防止部材２０は、図２に示すように、スプール３と蓋部材１６との間に配置されている。糸絡み防止部材２０は、蓋部材１６の外側面１６ｂに釣り糸が絡まることを防止する。
【００３６】
図４は、図２の一部を拡大した図であり、説明を分かり易くするために竿装着部６ｄの構成を模式的に示している。図４に示すように、竿装着面６ｅから糸絡み防止部材２０の竿装着部６ｄ側の表面２０ａまでの距離Ｄ１は、竿装着面６ｅから蓋部材１６の底面１６ａまでの距離Ｄ２と同程度である。本実施形態では、距離Ｄ１は、距離Ｄ２よりも僅かに長い。すなわち、防止部材２０の表面２０ａは、底面１６ａよりも上方に位置する。
【００３７】
距離Ｄ１は、言い換えると、側面視において、竿装着面６ｅを通り且つ竿装着部６ｄが延びる方向に平行な直線Ｌ１と、糸絡み防止部材２０の表面２０ａを通り且つ直線Ｌ１に平行な直線Ｌ２の間の距離である。距離Ｄ２は、言い換えると、側面視において、直線Ｌ１と、蓋部材１６の底面１６ａを通り且つ直線Ｌ１に平行な直線Ｌ３の間の距離である。
【００３８】
なお、糸絡み防止部材２０は、正面視において、蓋部材１６の底面１６ａと前後方向に重なる位置に配置されてもよい。すなわち、距離Ｄ１が距離Ｄ２と同じ、或いは距離Ｄ１が距離Ｄ２よりも短くなるように構成されてもよい。
【００３９】
上記構成の両軸受リール１００では、蓋部材１６の外側面１６ｂが蓋部材１６の底面１６ａからウォーム軸１１に向かってテーパ状に傾斜しているので、蓋部材１６に釣り糸が絡みにくくなる。これにより、蓋部材１６への糸絡みを簡単な構成で抑制することができる。また、釣り糸が蓋部材１６に絡まりかけた場合は、釣り糸を例えばスプール３側に引っ張ることで、蓋部材１６に絡まりかけた釣り糸を蓋部材１６から容易に解くことができる。
【００４０】
さらに、蓋部材１６の底面１６ａと竿装着部６ｄとの間に蓋部材１６への糸絡みを防止するための部材等を設ける必要がないので、リール本体２のコンパクト化を図ることが可能になり、パーミングしたときの把持性を向上させることができる。
【００４１】
ここで、例えば、蓋部材１６の外側面１６ｂの外径が一定の場合は、釣り糸が蓋部材１６に絡まりかけたときに釣り糸をスプール側に引っ張っても、釣り糸が蓋部材１６の外側面１６ｂに引っかかり、蓋部材１６から釣り糸を解くことが難しい。したがって、蓋部材１６の外側面１６ｂの外径が一定の場合は、蓋部材１６への糸絡みを未然に効果的に防止するために、距離Ｄ１が距離Ｄ２よりも短くなるように糸絡み防止部材２０を配置することが好ましい。しかしながら、この場合は、リール本体２が大型化してパーミングしたときの把持性が低下するおそれがある。
【００４２】
一方、蓋部材１６の外側面１６ｂの外径が一定の場合において、距離Ｄ１が距離Ｄ２と同程度になるように糸絡み防止部材２０を配置した場合は、リール本体２のコンパクト化を図ることができたとしても、糸絡み防止部材２０によって蓋部材１６への糸絡みを未然に効果的に防止することができない。
【００４３】
しかしながら、上記構成の両軸受リール１００では、蓋部材１６に釣り糸が絡まりにくく、さらに蓋部材１６に絡まりかけた釣り糸を蓋部材１６から容易に解くことができるので、蓋部材１６の外側面１６ｂの外径が一定の場合に比べて、蓋部材１６への糸絡みを未然に防止する必要性を低下させることができる。これにより、距離Ｄ１と距離Ｄ２を同程度、或いは本実施形態のように距離Ｄ１を距離Ｄ２よりも長くして、パーミングしたときの把持性を向上させた場合でも、蓋部材１６及び糸絡み防止部材２０によって蓋部材１６への糸絡みによるトラブルの発生を抑制することができる。
【００４４】
なお、図４に示すように、側面視において、竿装着部６ｄが延びる方向に平行な直線Ｌ４と、蓋部材１６の外側面１６ｂに平行な直線Ｌ５とのなす角度θは１００°以上であることが好ましい。また、角度θは、１３０°以下であることが好ましい。これにより、蓋部材１６の大径化を抑制しつつ、蓋部材１６への糸絡みを効果的に抑制することができる。また、釣り糸が蓋部材１６に絡みかけたときに釣り糸を蓋部材１６からさらに容易に解くことができる。
【００４５】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００４６】
（ａ）前記実施形態では、機械式のカウンタを備える両軸受リールに本発明を採用していたが、電動リールを含む他の構成の両軸受リールに本発明を適用してもよい。
【００４７】
（ｂ）前記実施形態では、蓋部材１６の底面１６ａが前後方向および左右方向に沿う方向に延びていたが、底面１６ａの後端が底面１６ａの前端よりも上方に位置するように蓋部材１６を傾斜させてもよい。この場合、蓋部材１６の着脱に影響しない範囲で傾斜（例えば１０°未満）させることが好ましい。なお、蓋部材１６を傾斜させる場合は、係合部材１５及び移動部材１４の収容部１４ｂも蓋部材１６と同様に傾斜した構成となる。また、この場合における距離Ｄ２は、竿装着面６ｅから底面１６ａの前端までの距離となる。
【符号の説明】
【００４８】
２  リール本体
３  スプール
５  レベルワインド機構
６ａ  第１側板
６ｂ  第２側板
６ｄ  竿装着部
６ｅ  竿装着面
１１  ウォーム軸
１１ａ  螺旋状溝
１２  案内部材
１４  移動部材
１４ｂ  収容部
１５  係合部材
１６  蓋部材
１６ａ  底面
１６ｂ  外側面
２０  糸絡み防止部材
１００  両軸受リール
【図１】
2020184934.tif 000003
【図２】
2020184934.tif 000004
【図３】
2020184934.tif 000005
【図４】
2020184934.tif 000006